(57)【特許請求の範囲】
【請求項１】
画像を投射して表示するプロジェクターと、
該プロジェクターを吊り下げ、支持する天吊装置とを具備し、
該天吊装置は、
前記プロジェクターに用いるランプの予備ランプを収納可能な予備ランプ収納部と、
該予備ランプ収納部に収納される予備ランプの有無を検出する予備ランプ収納検出部とを具備し、
前記プロジェクターは、
前記予備ランプ収納検出部からの予備ランプ収納検出信号が入力され、少なくとも、前記天吊装置の予備ランプ収納部内に予備ランプが収納されていない場合に、該予備ランプが存在しないことを表示部に表示させる制御部を具備することを特徴とする画像表示システム。
【請求項２】
前記プロジェクターは、使用するランプの累積点灯時間を計測する計測部を備え、
前記制御部は、前記計測部によって計測されるランプの累積点灯時間が、あらかじめ入力されているランプ寿命時間に近づいた場合に、前記表示部に、ランプがランプ寿命時間に近づいていることを表示させることを特徴とする請求項１記載の画像表示システム。
【請求項３】
前記制御部は、前記予備ランプ収納部に予備ランプが収納されていない場合に、前記表示部に予備ランプが存在しないことを表示させ、また、前記予備ランプ収納部に予備ランプが収納されている場合に、前記表示部に予備ランプが存在することを表示させることを特徴とする請求項１または２記載の画像表示システム。
【請求項４】
前記表示部はプロジェクターの画像投射部であることを特徴とする請求項１〜３いずれか１項記載の画像表示システム。
【請求項５】
前記表示部は前記プロジェクターに設けられたＬＥＤランプであることを特徴とする請求項１〜３いずれか１項記載の画像表示システム。
【請求項６】
プロジェクターを吊り下げ、支持する天吊装置であって、
前記プロジェクターに用いるランプの予備ランプを収納可能な予備ランプ収納部と、
該予備ランプ収納部に収納される予備ランプの有無を検出し、予備ランプの検出信号を前記プロジェクターに送出可能な予備ランプ収納検出部とを具備することを特徴とするプロジェクターの天吊装置。
【請求項７】
プロジェクターに用いるランプの予備ランプを収納可能な予備ランプ収納部と、該予備ランプ収納部に収納される予備ランプの有無を検出する予備ランプ収納検出部とを具備する天吊装置によって吊り下げ支持されるプロジェクターであって、
前記予備ランプ収納検出部からの予備ランプ収納検出信号が入力され、少なくとも、前記天吊装置の予備ランプ収納部内に予備ランプが収納されていない場合に、該予備ランプが存在しないことを表示部に表示させる制御部を具備することを特徴とするプロジェクター。
【請求項８】
使用するランプの累積点灯時間を計測する計測部を備え、
前記制御部は、前記計測部によって計測されるランプの累積点灯時間が、あらかじめ入力されているランプ寿命時間に近づいた場合に、前記表示部に、ランプがランプ寿命時間に近づいていることを表示させることを特徴とする請求項７記載のプロジェクター。
【発明の詳細な説明】
【技術分野】
【０００１】
本発明は画像表示システム、プロジェクターの天吊装置およびプロジェクターに関する。
【背景技術】
【０００２】
プロジェクターを天吊り設置して使用する場合、ランプ交換するためには脚立を立てて高い場所で作業するなど、大変でかつ危険な作業となる。
特許文献１のものでは、ランプカバーをアッパーケースの上面部のみに設けて、ランプを交換する場合、プロジェクターの上面部を上方に向けた状態のままでランプ交換を行えるようにしている。これにより、ランプ交換を行う際、プロジェクターをひっくり返す必要がなく、ランプを交換した後、プロジェクターの姿勢や位置の再調整が不要になり、ランプの交換作業が容易となる利点がある。
【先行技術文献】
【特許文献】
【０００３】
【特許文献１】特開２００３−４３５８３号公報
【発明の開示】
【発明が解決しようとする課題】
【０００４】
しかしながら、特許文献１に示されるプロジェクターの場合でも、ランプ交換の際にはランプを手に持って脚立を登らなければならないことには変わりはない。また、プロジェクターは機種によってランプが異なる。ランプが切れた場合、その都度交換用のランプを準備しなければならず面倒であり、また、交換しようとしてランプカバーを開けたら用意した交換ランプが異なる機種用のものであったなどという場合があり、ランプ交換に手間取るという課題があった。
そこで、本発明は上記課題を解消すべくなされ、その目的とするところは、プロジェクターのランプの交換作業を容易、かつ確実に行うことのできる画像表示システム、プロジェクターの天吊装置およびプロジェクターを提供することにある。
【課題を解決するための手段】
【０００５】
本発明に係る画像表示システムは、画像を投射して表示するプロジェクターと、該プロジェクターを吊り下げ、支持する天吊装置とを具備し、該天吊装置は、前記プロジェクターに用いるランプの予備ランプを収納可能な予備ランプ収納部と、該予備ランプ収納部に収納される予備ランプの有無を検出する予備ランプ収納検出部とを具備し、前記プロジェクターは、前記予備ランプ収納検出部からの予備ランプ収納検出信号が入力され、少なくとも、前記天吊装置の予備ランプ収納部内に予備ランプが収納されていない場合に、該予備ランプが存在しないことを表示部に表示させる制御部を具備することを特徴とする。
【０００６】
また、前記プロジェクターは、使用するランプの累積点灯時間を計測する計測部を備え、前記制御部は、前記計測部によって計測されるランプの累積点灯時間が、あらかじめ入力されているランプ寿命時間に近づいた場合に、前記表示部に、ランプがランプ寿命時間に近づいていることを表示させるようにすることができる。
【０００７】
前記制御部は、前記予備ランプ収納部に予備ランプが収納されていない場合に、前記表示部に予備ランプが存在しないことを表示させ、また、前記予備ランプ収納部に予備ランプが収納されている場合に、前記表示部に予備ランプが存在することを表示させるようにしてもよい。
前記表示部としてプロジェクターの画像投射部、あるいはプロジェクターに設けられたＬＥＤランプを用いることができる。
【０００８】
本発明に係るプロジェクターの天吊装置は、前記プロジェクターに用いるランプの予備ランプを収納可能な予備ランプ収納部と、該予備ランプ収納部に収納される予備ランプの有無を検出し、予備ランプの検出信号を前記プロジェクターに送出可能な予備ランプ収納検出部とを具備することを特徴とする。
【０００９】
また、本発明に係るプロジェクターは、プロジェクターに用いるランプの予備ランプを収納可能な予備ランプ収納部と、該予備ランプ収納部に収納される予備ランプの有無を検出する予備ランプ収納検出部とを具備する天吊装置によって吊り下げ支持されるプロジェクターであって、前記予備ランプ収納検出部からの予備ランプ収納検出信号が入力され、少なくとも、前記天吊装置の予備ランプ収納部内に予備ランプが収納されていない場合に、該予備ランプが存在しないことを表示部に表示させる制御部を具備することを特徴とする。
【００１０】
また、使用するランプの累積点灯時間を計測する計測部を備え、前記制御部は、前記計測部によって計測されるランプの累積点灯時間が、あらかじめ入力されているランプ寿命時間に近づいた場合に、前記表示部に、ランプがランプ寿命時間に近づいていることを表示させるようにすることができる。
【００１１】
また、本実施の形態に係るプロジェクターの使用方法は、プロジェクターを吊り下げ、支持する天吊装置の予備ランプ収納部に、プロジェクターの予備ランプを収納するようにし、少なくとも、前記天吊装置の予備ランプ収納部内に予備ランプが収納されていない場合に、該予備ランプが存在しないことを表示部に表示させることを特徴とする。
さらに、前記プロジェクターで使用するランプの累積点灯時間を計測し、該計測されるランプの累積点灯時間が、ランプ寿命時間に近づいた場合に、前記表示部に、ランプがランプ寿命時間に近づいていることを表示させるようにすることができる。
【図面の簡単な説明】
【００１２】
【図１】天吊装置の説明図である。
【図２】画像表示システムの機能構成の一例を示すブロック図である。
【図３】予備ランプの有無を表示する場合の動作フロー図である。
【図４】ランプの寿命を知らせる動作フロー図である。
【図５】予備ランプの存在メッセージの画像表示の一例である。
【図６】寿命警告メッセージ１の画像表示の一例である。
【図７】寿命警告メッセージ２の画像表示の一例である。
【発明を実施するための形態】
【００１３】
以下本発明の好適な実施の形態を添付図面に基づいて詳細に説明する。
本実施の形態に係る画像表示システムでは、プロジェクターを吊り下げ、支持する天吊装置に、プロジェクターに用いるランプの予備ランプを収納可能な予備ランプ収納部を設けている。また、この予備ランプ収納部に収納される予備ランプの有無を検出する予備ランプ収納検出部を設けている。そして、予備ランプ収納検出部からの予備ランプ収納検出信号が制御部に入力され、制御部では、少なくとも、天吊装置の予備ランプ収納部内に予備ランプが収納されていない場合に、該予備ランプが存在しないことを表示部に表示させるようにしている。
【００１４】
また、プロジェクターに、使用するランプの累積点灯時間を計測する計測部を設け、該計測部によって計測されるランプの累積点灯時間が、あらかじめ入力されているランプ寿命時間に近づいた場合に、制御部によって、表示部に、ランプがランプ寿命時間に近づいていることを表示させるようにするとよい。
【００１５】
このように、あらかじめ交換用予備ランプを天吊装置に収納できるので、寿命に到達したり、切れたりした場合に、あわててランプを用意する必要がない。
また、収納部を開閉しなくても交換用予備ランプの有無を検出、表示できる。
【００１６】
以下図面を用いてさらに詳細に説明する。
図１は、プロジェクター１０を天井等の、室内上部空間に吊り下げ、支持する天吊装置１２の説明図である。図２は、画像表示システム１４の機能構成の一例を示すブロック図である。プロジェクター１０は、スクリーン等の投射面に画像を投射して表示する。
【００１７】
図１に示すように、天吊装置１２は、天吊装置１２内部に、プロジェクター１０で使用する予備ランプを収納可能な予備ランプ収納部１６が設けられている。予備ランプ収納部１６は、天吊装置１２に空洞部として設けられ、内部に予備ランプ（図示せず）を挿入可能となっている。また、予備ランプが挿入された後、空洞部を閉塞するカバー１７が設けられている。
【００１８】
また、予備ランプ収納部１６には、予備ランプ収納部１６内に予備ランプが挿入された場合にオン（またはオフ）される予備ランプ収納検出部１８が設けられている（図２）。予備ランプ収納検出部１８は、リミットスイッチなどのメカ式スイッチを好適に用いることができるが、メカ式のものに限定されるものではない。
予備ランプ収納検出部１８における予備ランプの有無の検出信号は、予備ランプ検出通信部３５を通じてプロジェクター１０の制御部２６に入力される(図２)。
なお、天吊装置１２における、天吊りの機構そのものは公知のものを採用できるので、説明は省略する。
【００１９】
次に、図２により、画像表示システム１４の機能構成の概略を説明する。
２０は電源部であり、図示しないメインスイッチを介して商用電源に接続され、各部に必要な電力を供給する。
２１は外部機器接続部であり、パソコン、ビデオ等の外部接続機器２２が接続される。
外部機器接続部２１に、例えばパソコンを接続した場合、リモコン（リモートコントロール）２３によって、メニュー中のパソコンを選択する。メニューでパソコンを選択すると、リモコン受光部２４、キー入力処理部２５を介して制御部２６に選択信号が入力され、入力選択部２７でパソコンが選択される。
【００２０】
リモコン２３もしくはプロジェクター１０の本体キー３１から所定の指令がなされると、パソコンからの画像信号が画像処理部２８に入力され、制御部２６のもと画像処理されて画像出力部２９に出力され、さらに画像出力部２９から画像投射部３０に出力されて、画像投射部３０により図示しないスクリーン上に画像が投射される。この一連の動作は制御部２６によって制御される。なお、リモコン２３からは、その他の必要なメニュー等がリモコン受光部２４、キー入力処理部２５を介して制御部２６に入力され、各種処理が実行される。また、リモコン２３からは、電源部２０のメインスイッチのオン、オフ制御信号も出力される。
【００２１】
天吊装置１２の予備ランプ収納検出部１８からの予備ランプの有無検出信号は、天吊装置１２とプロジェクター１０とのコネクター３４および予備ランプ検出通信部３５を介して制御部２６に入力される。
プロジェクター１０には、使用されるランプの累積点灯時間を算出（計測）する計測部（図示せず）が設けられている。また、記憶部３６には、あらかじめランプの寿命時間が入力、記憶されている。
【００２２】
続いて、図３、図４により、本実施の形態における動作フローを説明する。
図３は、予備ランプの有無を表示する場合の動作フロー図である。
まず、プロジェクター１０の電源がオンされる（ステップ１：Ｓ１）。
ユーザーにより、メニューから、予備ランプ検出が選択され、リモコン２３を介して制御部２６に入力されると（Ｓ２）、制御部２６では、予備ランプ収納検出部１８からの予備ランプ検出信号により、予備ランプの有無を判断する（Ｓ３）。
【００２３】
制御部２６は、予備ランプ収納部１６に予備ランプが存在すると判断すると、スクリーンに、例えば図５に示すように、「天吊装置に予備ランプが収納されています。」などの予備ランプが予備ランプ収納部１６に存在することを示すメッセージを画像表示し（Ｓ４）、処理を終了する（Ｓ５）。ユーザーはこれにより、予備ランプが準備されていることを知ることができる。
一方、制御部２６は、予備ランプ収納部１６に予備ランプが存在しないと判断すると、スクリーンに「予備ランプ無し」などの予備ランプが予備ランプ収納部１６に存在しないことを示すメッセージを画像表示し（Ｓ６）、処理を終了する（Ｓ５）。ユーザーはこれにより、予備ランプが準備されていないことを知り、予備ランプを準備する必要があることを知る。ユーザーは、プロジェクターの使用終了後の任意の時に、予備ランプを予備ランプ収納部に収納するようにすることができる。
【００２４】
なお、予備ランプが予備ランプ収納部１６に存在している場合には必ずしも表示部による表示を行わなくてもよく、予備ランプが予備ランプ収納部１６に存在していない場合にのみ、注意を促す意味で予備ランプが存在していないことを示すメッセージを表示させるようにすることができる。
また、上記実施の形態では、表示部としてプロジェクターの画像投射部を用い、スクリーン上に予備ランプの有無を表示するようにしたが、表示部として、プロジェクター１０にＬＥＤランプ（図示せず）を設け、ＬＥＤランプを点滅させるなどして予備ランプの有無を知らせるようにしてもよい。また、ユーザーからの通信コマンドによって予備ランプの有無確認要求があった場合に、予備ランプの有無を表示して返答するようにしてもよい。
【００２５】
また、上記実施の形態では、リモコン２３のメニューにオプションとして予備ランプの有無を確認する操作メニューを加えているが、オプションでなく標準メニューとして、プロジェクター１０のメインスイッチをオンした段階で、予備ランプの有無をスクリーン上に表示させるようにしてもよい。この場合も、予備ランプが存在している場合には必ずしも表示部に表示させなくともよく、予備ランプが存在していない場合にのみ、注意を促す意味で予備ランプが存在していないことを表示させるようにするとよい。
【００２６】
図４は、ランプの寿命を知らせる動作フロー図である。
前記のように、プロジェクター１０側に、ランプの累積点灯時間を計測する計測部が設けられている。この計測部は、新しくランプがセットされた際に、ランプの累積点灯時間をゼロにリセットし、以後、交換されたランプが点灯されるごとにランプ使用時間を計測して累積し、記憶部３６に記憶させる。記憶部３６には、あらかじめランプの寿命時間が入力され、記憶されている。
【００２７】
制御部２６は、ランプの寿命時間と累積点灯時間を比較し、累積点灯時間がランプ寿命警告時間に到達したなら（Ｓ７）、予備ランプ収納検出部１８の検出信号により、予備ランプの有無を判断し（Ｓ８）、予備ランプが存在する場合には寿命警告メッセージ１を表示部に表示させ（Ｓ９）、処理を終了する（Ｓ１０）。寿命警告メッセージ１は、例えば図６に示すように、「ランプ寿命が近づいています。天吊装置に予備ランプが収納されています。」などの、現在プロジェクター１０において使用されているランプが使用できる期間の終了が近いことを示すメッセージとなる。なお、予備ランプが存在する場合には、この寿命警告メッセージ１は表示しなくともよい。
【００２８】
制御部２６は、Ｓ８で、予備ランプが存在しないと判断した場合には、寿命警告メッセージ２を表示部に表示し（Ｓ１１）、処理を終了する。寿命警告メッセージ２は、例えば図７に示すように、「ランプ寿命が近づいています。天吊装置に予備ランプが無いので交換用ランプを用意してください。」などのメッセージとなる。ユーザーはこれにより、直ちにランプ交換を行うなどの対処ができる。
【符号の説明】
【００２９】
１０  プロジェクター、１２  天吊装置、１４  画像表示システム、１６  予備ランプ収納部、１７  カバー、１８  予備ランプ収納検出部、２０  電源部、２１  外部機器接続部、２２  外部接続機器、２３  リモコン、２４  リモコン受光部、２５  キー入力処理部、２６  制御部、２７  入力選択部、２８  画像処理部、２９  画像出力部、３０  画像投射部（表示部）、３１  本体キー、３４  コネクター、３５  予備ランプ検出通信部、３６  記憶部
【図１】
0005488415.tif 000002
【図２】
0005488415.tif 000003
【図３】
0005488415.tif 000004
【図４】
0005488415.tif 000005
【図５】
0005488415.tif 000006
【図６】
0005488415.tif 000007
【図７】
0005488415.tif 000008